(57)【要約】【課題】既存の共同受信するテレビ放送設備を利用し、容易な操作で任意のチャンネルを受信する。【解決手段】衛星放送の任意トランスポンダ番号を選択するリモコン20と、このリモコン20での選択に応じた周波数信号を発振し、伝送されてくる信号に重畳して選択された衛星放送のトランスポンダ番号に該当する中間周波信号を含んだ信号を得るアップコンバータ31と、このアップコンバートした信号中から選択されたトランスポンダ番号の中間周波信号を選局し、選局したトランスポンダ番号の中間周波信号中から任意衛星放送を選局するＢＳ・ＣＳチューナ35と、上記アップコンバータ31及びＢＳ・ＣＳチューナ35を同時に統括制御する制御部３２とを備える。【選択図】      図４
2005142759.tif 000002
【特許請求の範囲】
【請求項１】
施設構内に設置され、アンテナで受信した衛星放送の任意複数のトランスポンダ番号に該当する中間周波信号をそれぞれ所定の任意周波数帯に変換してから混合して出力する構内送信装置と、
この構内送信装置で混合された信号を伝送する伝送手段と、
上記施設構内に複数設置される、衛星放送の任意トランスポンダ番号を選択する選択手段、この選択手段での選択内容に応じた周波数信号を発振し、上記伝送手段から伝送されてくる信号に重畳して選択された衛星放送のトランスポンダ番号に該当する中間周波信号を含んだ信号を得る周波数変換手段、この周波数変換手段で得た信号中から選択されたトランスポンダ番号の中間周波信号を選局する衛星選局手段、及び上記周波数変換手段の発振する周波数信号と上記衛星選局手段の選局内容を統括制御する制御手段を有した受信装置と
を備えたことを特徴とする衛星放送受信システム。
【請求項２】
上記伝送手段は同軸ケーブルでなることを特徴とする請求項１記載の衛星放送受信システム。
【請求項３】
施設構内に設置された構内送信装置で、衛星放送の任意複数のトランスポンダ番号に該当する中間周波信号をそれぞれ所定の任意周波数帯に変換してから混合して出力される信号を、伝送経路を介して受信する、上記施設構内に複数設置された衛星放送受信装置であって、
衛星放送の任意トランスポンダ番号を選択する選択手段と、
この選択手段での選択内容に応じた周波数信号を発振し、上記伝送手段から伝送されてくる信号に重畳して選択された衛星放送のトランスポンダ番号に該当する中間周波信号を含んだ信号を得る周波数変換手段と、
この周波数変換手段で得た信号中から選択されたトランスポンダ番号の中間周波信号を選局する衛星選局手段と、
上記周波数変換手段の発振する周波数信号と上記衛星選局手段の選局内容を統括制御する制御手段と
を具備したことを特徴とする衛星放送受信装置。
【発明の詳細な説明】
【技術分野】
【０００１】
本発明は、特にホテルや病院などのテレビ放送を共同受信する施設に好適な衛星放送受信システム及び衛星放送受信装置に関する。
【背景技術】
【０００２】
テレビ放送を共同受信するホテルや病院などの施設では、従来、施設館内で自主的に放送するチャンネルを、ＶＨＦ帯及びＵＨＦ帯の各地上波放送の空きチャンネルに挿入して伝送し、テレビ受像機でそのまま復調して視聴する方法や、一旦有料放送の課金機能を備えた受信機で復調し、テレビ受像機に出力して視聴する方法をとっており、いずれも増幅器（アンプ）を始めとする共聴機材等の設備の多くがＶＨＦ帯及びＵＨＦ帯に対応した７６［ＭＨｚ］乃至７７０［ＭＨｚ］の周波数範囲に制約されている。
【０００３】
一方、ＢＳ放送やＣＳ放送等の衛星放送を受信して配信する場合は、１，０３２［ＭＨｚ］乃至１，３３６［ＭＨｚ］のＢＳ中間周波信号や、１，５９５［ＭＨｚ］乃至２，０７１［ＭＨｚ］のＣＳ中間周波信号など、ＧＨｚ（ギガヘルツ）オーダーの信号を上述した既存の設備では直接伝送することができない。
【０００４】
そのため、従来の設備とは別に新たな追加共聴設備を用意し、計２本の同軸ケーブルで伝送する共聴方式が採用されるようになっている。
【０００５】
一方、一般的なＣＡＴＶシステムでは、ＢＳデジタル放送を同軸ケーブルで伝送する方法として、ＣＡＴＶ方式である６［ＭＨｚ］６４ＱＡＭ（直交振幅変調）信号を使って伝送するトランスモジュレーション方式、再多重化で伝送するリマックス方式、及びＢＳ中間周波数を地上波の再送信で使用していないケーブルテレビの周波数に変換して伝送するパススルー方式が考えられている。
【０００６】
また、それぞれ受信したＢＳ信号、ＣＳ右旋円偏波信号、及びＣＳ左旋円偏波信号を周波軸上で重ならないように配列して中間周波数に変換し、高域通過フィルタを介した後に、同じく中間周波数に変換した他の信号を低域通過フィルタを介したものと混合して１本の同軸ケーブルにより伝送するようにした技術も考えられている。（例えば、特許文献１）
【特許文献１】特開２００１−１８６０３７号公報
【発明の開示】
【発明が解決しようとする課題】
【０００７】
しかしながら、新規に衛星放送の共聴システムを構築する場合を除き、既存設備において、同軸ケーブル２本を用いて伝送を行なわせるには新たな共聴工事が必要となり、その手間と設備費用による負担が大きい。
【０００８】
また、ＣＡＴＶの規格に則ったトランスモジュレーション方式及びリマックス方式は、再送信する送出側の設備費用が大きくなるだけでなく、放送を受ける端末側にも新たなセットトップボックス（ＳＴＢ）が必要となる。
【０００９】
さらに、周波数変換した信号を伝送する上記パススルー方式は、他の方式に比してより経済的、且つ容易に実施可能であるが、コンバータが広い範囲の周波数帯域をブロックして周波数変換するため、不要なチャンネル帯も占有し、希望するチャンネルを選択して伝送したい場合や、すでに空きチャンネルが部分的に使用されている場合などに不都合を生じることになる。
【００１０】
上記特許文献１の技術も、上記トランスモジュレーション方式及びリマックス方式と同様に、１本の同軸ケーブルで伝送するべく、受信した放送及びＣＳ放送の周波数帯を変換して再送信しており、送出側の設備費用が大きくなるだけでなく、放送を受ける端末側にも新たなＳＴＢが必要となる。
【００１１】
本発明は上記のような実情に鑑みてなされたもので、その目的とするところは、既存の共同受信するテレビ放送設備を利用し、複数の希望する衛星放送のトランスポンダ番号の信号を１本の同軸ケーブルで伝送でき、端末機側では容易な操作で任意のチャンネルを受信することが可能な衛星放送受信システム及び衛星放送受信装置を提供することにある。
【課題を解決するための手段】
【００１２】
本願請求項１記載の発明は、施設構内に設置され、アンテナで受信した衛星放送の任意複数のトランスポンダ番号に該当する中間周波信号をそれぞれ所定の任意周波数帯に変換してから混合して出力する構内送信装置と、この構内送信装置で混合された信号を伝送する伝送手段と、上記施設構内に複数設置される、衛星放送の任意トランスポンダ番号を選択する選択手段、この選択手段での選択内容に応じた周波数信号を発振し、上記伝送手段から伝送されてくる信号に重畳して選択された衛星放送のトランスポンダ番号に該当する中間周波信号を含んだ信号を得る周波数変換手段、この周波数変換手段で得た信号中から選択されたトランスポンダ番号の中間周波信号を選局する衛星選局手段、及び上記周波数変換手段の発振する周波数信号と上記衛星選局手段の選局内容を統括制御する制御手段を有した受信装置とを備えたことを特徴とする。
【００１３】
請求項２記載の発明は、上記請求項１記載の発明において、上記伝送手段は同軸ケーブルでなることを特徴とする。
【００１４】
請求項３記載の発明は、施設構内に設置された構内送信装置で、衛星放送の任意複数のトランスポンダ番号に該当する中間周波信号をそれぞれ所定の任意周波数帯に変換してから混合して出力される信号を、伝送経路を介して受信する、上記施設構内に複数設置された衛星放送受信装置であって、衛星放送の任意トランスポンダ番号を選択する選択手段と、この選択手段での選択内容に応じた周波数信号を発振し、上記伝送手段から伝送されてくる信号に重畳して選択された衛星放送のトランスポンダ番号に該当する中間周波信号を含んだ信号を得る周波数変換手段と、この周波数変換手段で得た信号中から選択されたトランスポンダ番号の中間周波信号を選局する衛星選局手段と、上記周波数変換手段の発振する周波数信号と上記第１衛星選局手段の選局内容を統括制御する制御手段とを具備したことを特徴とする。
【発明の効果】
【００１５】
請求項１記載の発明によれば、既存の共同受信するテレビ放送設備を利用し、複数の希望する衛星放送のトランスポンダ番号の信号を１本の同軸ケーブルで伝送でき、端末機側では既存の衛星放送チューナ用の選局回路を用いて容易な操作で任意のチャンネルを受信することが可能となる。
【００１６】
請求項２記載の発明によれば、上記請求項１記載の発明の効果に加えて、既存のテレビ放送設備を利用して容易に衛星放送の受信システムを構築できる。
【００１７】
請求項３記載の発明によれば、既存の衛星放送チューナ用の選局回路を用いて容易な操作で任意のチャンネルを受信することが可能となる。
【発明を実施するための最良の形態】
【００１８】
以下本発明をホテル館内に敷設する衛星放送受信システムに適用した場合の実施の一形態について図面を参照して説明する。
【００１９】
図１は、システム全体の構成を示すものであり、ＢＳ・ＣＳアンテナ２で受信された信号がそれぞれ別々に中間周波帯に周波数変換された後に混合され、１本の同軸ケーブル３を介して衛星放送ダウンコンバータ１に入力される。
【００２０】
衛星放送ダウンコンバータ１では、分配器４でこれを複数、例えば５つに分配してダウンコンバータモジュール５〜９へ出力する。
【００２１】
ダウンコンバータモジュール５（〜９）はそれぞれ、トランスポンダ番号設定部５ａ（〜９ａ）と変換周波数設定部５ｂ（〜９ｂ）を有している。トランスポンダ番号設定部５ａ（〜９ａ）は、入力された中間周波信号中のトランスポンダ番号を任意に設定可能であり、変換周波数設定部５ｂ（〜９ｂ）はトランスポンダ番号設定部５ａ（〜９ａ）で設定されたトランスポンダ番号を所定の任意周波数帯に変換設定可能である。
【００２２】
ここでは、例えば４つのダウンコンバータモジュール５〜８にてＢＳ放送の４トランスポンダ番号を選択し、残る１つのダウンコンバータモジュール９がＣＳ放送の１トランスポンダ番号を設定してそれぞれ受信するものとする。
【００２３】
具体的には、例えば図２に示すようにダウンコンバータモジュール５がトランスポンダ番号ＢＳ１（中間周波数１，０４９．４８［ＭＨｚ］）を選択受信し、これをＭＩＤ帯の１３９．４８［ＭＨｚ］に変換する。
【００２４】
同様に、ダウンコンバータモジュール６がトランスポンダ番号ＢＳ３（中間周波数１，０８７．８４［ＭＨｚ］）を選択受信し、これをＳＨＢ帯の３２６．８４［ＭＨｚ］に変換する。
【００２５】
ダウンコンバータモジュール７は、トランスポンダ番号ＢＳ１３（中間周波数１，２７９．６４［ＭＨｚ］）を選択受信し、これを同じくＳＨＢ帯の３６５．６４［ＭＨｚ］に変換する。
【００２６】
ダウンコンバータモジュール８は、トランスポンダ番号ＢＳ１５（中間周波数１，３１８．００［ＭＨｚ］）を選択受信し、これを同じくＳＨＢ帯の４０４．００［ＭＨｚ］に変換する。
【００２７】
ダウンコンバータモジュール９は、ＣＳ放送のトランスポンダ番号ＮＤ２（中間周波数１，６１３．００［ＭＨｚ］）を選択受信し、これをＵＨＦ帯の７４９．００［ＭＨｚ］に変換する。
【００２８】
図３（Ａ）に各種放送の周波数配列を示し、図３（Ｂ）に衛星放送ダウンコンバータ１が周波数変換した各トランスポンダ番号を地上波放送と共に周波数配列で示す。
【００２９】
これらダウンコンバータモジュール５〜９の出力するそれぞれ任意の周波数に変換された信号は、混合器１０で混合され、１本の同軸ケーブル１１を介して混合器１４に入力される。
【００３０】
この混合器１４にはまた、ＵＨＦアンテナ１２とＶＨＦアンテナ１３で受信されたＵＨＦ帯及びＶＨＦ帯の信号がそのまま合わせて入力されており、これら入力された信号を混合して出力するもので、出力された、衛星放送と地上波放送とが上記図３（Ｂ）に示すように周波数軸上で混合された信号が増幅器１５で増幅された後、分岐／分配器１６で分岐または分配され、それぞれ同軸ケーブル１７によりホテル館内に配信されるもので、この同軸ケーブル１７に接続された直列ユニット１８によりホテル館内の各客室毎に配信された信号を引込み、受信機１９に接続する。
【００３１】
受信機１９は、リモコン２０の遠隔操作に対応して任意のテレビ放送信号を選局し、適宜モニタテレビ２１に出力して映像及び音声を出力させる。
【００３２】
図３（Ａ）に示した既存の周波数配列ではＳＨＢ帯の一部が使用されていることから、本実施の形態では図３（Ｂ）に示すように、受信した衛星放送の各トランスポンダ番号をＭＩＤ帯、ＳＨＢ帯、及びＵＨＦ帯の空き周波数に分散して伝送するものとしている。
【００３３】
上記衛星放送ダウンコンバータ１は、５つのダウンコンバータモジュール５〜９を一体化したものであるとして説明したが、単体のダウンコンバータモジュールを複数用いて構成するものとしても良い。
【００３４】
また、ＢＳ放送のＢＳ１〜ＢＳ１５の範囲のトランスポンダ番号をブロックしてダウンコンバートする方式があるが、既存の１本の同軸ケーブルを用いた設備でＶＨＦ帯、ＵＨＦ帯の信号を併せて、略３００［ＭＨｚ］に及ぶ上記トランスポンダ番号ＢＳ１〜ＢＳ１５の信号を伝送する空きはなく、上記説明した如く所定数の任意のトランスポンダ番号の中間周波信号を任意の変換周波数で伝送することが有効だと考えられる。
【００３５】
続いて図４により受信側の構成について説明する。  
直列ユニット１８で同軸ケーブル１７を伝送される信号を客室内に引込み、受信機１９に接続する。受信機１９では、上記直列ユニット１８からの信号が入力端子３０を介してアップコンバータ３１に入力される。
【００３６】
このアップコンバータ３１は、上記衛星放送ダウンコンバータ１の各ダウンコンバータモジュール５〜９とは逆に、ダウンコンバートされたＢＳ放送及びＣＳ放送の各トランスポンダ番号を元の周波数帯の中間周波信号に変換（アップコンバート）するもので、後述する制御部３２からの制御に基づいて適宜上記周波数変換を実行し、その変換結果をＢＳ・ＣＳチューナ３５へ出力する。
【００３７】
制御部３２は、リモコン２０からの操作信号を受光部３３で受信してその指示内容に基づき、この受信機１９全体の動作制御を実行するものであり、他にＥＥＰＲＯＭ３４を接続している。
【００３８】
このＥＥＰＲＯＭ３４は、リモコン２０の選局チャンネルとトランスポンダ番号の中間周波数及びダウンコンバートした周波数を関連付けたテーブル等を予め記憶している。
【００３９】
制御部３２は、チャンネルを選局するためのリモコン２０からの操作信号を受光部３３より受信すると、その解析を行なって必要な制御信号を生成し、上記アップコンバータ３１及びＢＳ・ＣＳチューナ３５へ出力する。
【００４０】
ＢＳ・ＣＳチューナ３５は、制御部３２からの制御信号に基づいて指定されたトランスポンダ番号を選局し、復調されたトランスポートストリームを、デマルチプレクサ／ＡＶデコーダ部３６へ出力する。
【００４１】
このデマルチプレクサ／ＡＶデコーダ部３６は、入力されたトランスポートストリームに多重化されたＭＰＥＧ２のビデオ・オーディオデータのＰＥＳ（Ｐａｃｋｅｔｉｚｅｄ  Ｅｌｅｍｅｎｔａｒｙ  Ｓｔｒｅａｍ）及びＰＳＩ（Ｐｒｏｇｒａｍ  Ｓｐｅｃｉｆｉｃ  Ｉｎｆｏｒｍａｔｉｏｎ）に分離し、上記ビデオ・オーディオデータのＰＥＳはＡＶデコーダで映像データ及び音声データを生成し、映像出力処理部３７及び音声出力処理部３８へ出力する。
【００４２】
映像出力処理部３７は、入力された映像データからアナログのビデオ信号を生成し、映像出力端子３９とビデオケーブル４１とを介して外部接続されているモニタテレビ２１へ出力する。
【００４３】
一方、音声出力処理部３８は、入力された音声信号からアナログのオーディオ信号を生成し、音声出力端子４０とオーディオケーブル４２とを介して同モニタテレビ２１へ出力する。
【００４４】
図５に上記アップコンバータ３１の詳細な構成を示す。同図で、直列ユニット１８を介して送られてくる、ダウンコンバートされたＢＳ放送及びＣＳ放送の各トランスポンダ番号が入力端子５０より入力され、ＬＰＦ５２を通して高周波成分が除去された後に、ミキサー回路５４に送られる。
【００４５】
一方で、このミキサー回路５４は、制御部３２からの制御信号を受けたローカル発振回路５３が出力する局部発振信号も入力する。ローカル発振回路５３は、ＰＬＬ回路とＶＣＯ回路から構成され、接続端子５１を介して上記制御部３２から送られてくる制御信号に基づいた周波数の局部発振信号をミキサー回路５４へ出力する。
【００４６】
しかして、ミキサー回路５４では、ローカル発振回路５３からの局部発振信号をＬＰＦ５２を介して入力されるトランスポンダ番号の信号と重畳して、元のＢＳ放送またはＣＳ放送の中間周波信号に戻すもので、戻されたＢＳ放送またはＣＳ放送の中間周波信号はＨＰＦ５５を介して低周波成分が除去された後に出力端子５６より上記ＢＳ・ＣＳチューナ３５へ出力される。
【００４７】
上記のような構成にあって、ＢＳ放送及びＣＳ放送では、ＢＳ・ＣＳアンテナ２で受信されてから、最終的に受信機１９内のＢＳ・ＣＳチューナ３５で所望のチャンネルが選局されて復調されるまで、受信機１９のユーザには一切認識されないが、トランスポンダ番号と称する、複数のチャンネルが固有の中間周波信号で多重化された信号となっている。
【００４８】
したがって、衛星放送ダウンコンバータ１で受信したＢＳ放送及びＣＳ放送のトランスポンダ番号を選択してから、受信機１９内のＢＳ・ＣＳチューナ３５でトランスポンダ番号中の所望のチャンネルの放送を選局するまでの間は、複数のチャンネル分の信号が多重化された信号を上述した如くトランスポンダ番号と称するものとする。
【００４９】
上記リモコン２０には、「ＢＳ（放送）」「ＣＳ１（放送）」「ＣＳ２（放送）」の放送選択ボタン、「１」〜「１２」のチャンネル番号ボタン、及びチャンネルの「アップ」「ダウン」ボタンが少なくとも配設されている。
【００５０】
このリモコン２０でＢＳ放送のチャンネルを選局する場合には、「ＢＳ」放送選択ボタンを操作した後に「１」〜「１２」のチャンネル番号ボタンで任意チャンネル番号を選択する方法と、「１」〜「１２」のチャンネル番号ボタンで３桁のチャンネル番号を直接入力する方法と、チャンネルの「アップ」「ダウン」ボタンを所望のチャンネルが表示されるまで操作する方法とがある。
【００５１】
図６は、ＢＳ放送でリモコン２０のチャンネル番号「１」〜「１２」に割り当てられた３桁のチャンネル番号と中間周波（ＩＦ）信号の周波数、及びダウンコンバートする周波数の対応を示すものであり、図７はＣＳ放送の同対応を示すものである。  
また、図８は、リモコン２０のチャンネル番号「１」〜「１２」を操作した場合に赤外変調信号として発信されるコード（リモコンコード）の対応を示すものであり、図９はリモコン２０のチャンネル番号「１」〜「１２」で３桁のチャンネル番号を操作した場合に赤外変調信号として発信されるコード（リモコンコード）の対応を示すものである。
【００５２】
以下、ＢＳ放送でリモコン２０のチャンネル番号「５」を選択し、その代表チャンネルである「１５１」チャンネルを選局する場合を例にとってその動作を説明する。
【００５３】
リモコン２０の「ＢＳ」放送選択ボタンを操作した後に「５」のチャンネル番号ボタンを操作すると、リモコン２０は「ＢＳ」放送選択ボタンに対応したリモコンコードと、図８で示した、チャンネル番号「５」に対応したリモコンコード「Ａ５」のコード信号とを赤外変調信号として出力する。
【００５４】
このリモコン２０からの信号を受信機１９の受光部３３が受信し、コード信号を制御部３２に出力する。
【００５５】
制御部３２では、受光部３３からのコード信号を解析し、その結果から図８及び図９で示したチャンネル番号「１５１」を選局するものと判断し、そのチャンネルが属するトランスポンダ番号「ＢＳ１」の中間周波信号の周波数が「１，０４９．４８［ＭＨｚ］」、ダウンコンバート周波数が「１３９．４８［ＭＨｚ］」であることから、アップコンバータ３１内のローカル発振回路５３の局部発振周波数が「９１０［ＭＨｚ］」となるＰＬＬ制御データを演算し、ローカル発振回路５３に出力する。
【００５６】
これを受けたローカル発振回路５３では、与えられたＰＬＬ制御データにより「９１０［ＭＨｚ］」の局部発振信号をミキサー回路５４に出力し、「１３９．４８［ＭＨｚ］」にダウンコンバートされている信号を元の「１，０４９．４８［ＭＨｚ］」までアップコンバートさせる。
【００５７】
このとき制御部３２は同時に、ＢＳ・ＣＳチューナ３５に対して「１，０４９．４８［ＭＨｚ］」の周波数を選局するべく制御データを作成して送信するもので、ＢＳ・ＣＳチューナ３５が同周波数の中間周波信号を選局し、そのトランスポートストリームの中からデマルチプレクサ／ＡＶデコーダ部３６が代表となるチャンネル「１５１」のデータを選択して出力することで、結果としてモニタテレビ２１でチャンネル「１５１」の放送が視聴できるようになる。
【００５８】
図１０（Ａ），（Ｂ）は上記図３（Ａ），（Ｂ）と同様に既存の周波数配列とその一部を衛星放送ダウンコンバータ１でダウンコンバートした結果を示す。  
これに対し、図１０（Ｃ）はトランスポンダ番号「ＢＳ１」の周波数帯の信号がリモコン２０での操作により選択され、制御部３２の制御に基づいてアップコンバータ３１でアップコンバートした際の周波数配列を示している。
【００５９】
ここでは、「ＢＳ」放送の「５」チャンネルを指定することにより、自動的にその代表として「１５１」チャンネルの放送を視聴できるものとした。したがって、同じ「ＢＳ」放送の「５」チャンネルに対応する、例えば「１５３」チャンネルの放送を視聴したい場合には、「１５１」チャンネルの放送を視聴している状態から、さらにリモコン２０のチャンネルの「アップ」ボタンを２回操作することで、アップコンバータ３１、ＢＳ・ＣＳチューナ３５の動作周波数は変わらないものの、デマルチプレクサ／ＡＶデコーダ部３６がトランスポートストリーム中の抽出するデータを可変することにより、新たに「１５３」チャンネルの放送を視聴可能となる。
【００６０】
さらに、「ＢＳ」放送を視聴している状態で、チャンネル番号「４」を操作すると、そのリモコンコード信号「Ａ４」を制御部３２が解析してその結果から上記と同様の処理を行ない、チャンネル番号「１４１」を選局するものと判断し、そのチャンネルが属するトランスポンダ番号「ＢＳ１３」の中間周波信号の周波数が「１，２７９．６４［ＭＨｚ］」、ダウンコンバート周波数が「３６５．６４［ＭＨｚ］」であることから、アップコンバータ３１内のローカル発振回路５３の局部発振周波数が「９１４［ＭＨｚ］」となるＰＬＬ制御データを演算し、ローカル発振回路５３に出力する。
【００６１】
これを受けたローカル発振回路５３では、与えられたＰＬＬ制御データにより「９１４［ＭＨｚ］」の局部発振信号をミキサー回路５４に出力し、「３６５．６４［ＭＨｚ］」にダウンコンバートされている信号を元の「１，２７９．６４［ＭＨｚ］」までアップコンバートさせる。
【００６２】
このとき制御部３２は同時に、ＢＳ・ＣＳチューナ３５に対して「１，２７９．６４［ＭＨｚ］」の周波数を選局するべく制御データを作成して送信するもので、ＢＳ・ＣＳチューナ３５が同周波数の中間周波信号を選局し、次段のデマルチプレクサ／ＡＶデコーダ部３６がトランスポートストリームの中から、代表となるチャンネル「１４１」のデータを選択して出力することで、結果としてモニタテレビ２１でチャンネル「１４１」の放送が視聴できるようになる。
【００６３】
図１０（Ｄ）は、このときトランスポンダ番号「ＢＳ１３」の周波数帯の信号がリモコン２０での操作により選択され、制御部３２の制御に基づいてアップコンバータ３１でアップコンバートした際の周波数配列を示している。
【００６４】
このように、既存の共同受信するテレビ放送設備を利用して、複数の希望するＢＳ放送、ＣＳ放送等の衛星放送のトランスポンダ番号の信号を１本の同軸ケーブルで伝送でき、これを受信する端末側の各受信機１９では、既存の衛星放送チューナ用の選局回路を用いて容易な操作で任意のチャンネルを受信することが可能となる。
【００６５】
なお、上記実施の形態では、受信機１９で、リモコン２０の操作チャンネル番号に対応して、トランスポンダ番号の対応する複数の放送から１つをそのトランスポンダ番号を代表するものとして自動的に選択し、モニタテレビ２１に出力するものとしたが、トランスポンダ番号に対応する放送チャンネルが複数ある場合には、例えば一旦モニタテレビ２１の表示画面で該当する複数のチャンネル番号を一覧表示し、そのいずれかが選択されるとそのチャンネル番号に対応した放送を選択してあらためてモニタテレビ２１での視聴に供するものとしても良い。
【００６６】
また、上記実施の形態では、受信機１９での動作をリモコン２０の遠隔操作により動作するものとして説明したが、本発明はこれに限らず、受信機１９の設置前面に設けたパネルに配設されるキースイッチ類を操作することで同様の動作を行なうものとしても良い。
【００６７】
その他、本発明は上記実施の形態に限らず、その要旨を逸脱しない範囲内で種々変形して実施することが可能であるものとする。
【００６８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６９】
【図１】本発明の実施の一形態に係るシステム全体の構成を示すブロック図。
【図２】同実施の形態に係るトランスポンダ番号とダウンコンバート周波数の対応を例示する図。
【図３】同実施の形態に係る既存の周波数配列とダウンコンバート後の周波数配列とを示す図。
【図４】同実施の形態に係る図１の受信機内の回路構成を示すブロック図。
【図５】同実施の形態に係る図４のアップコンバータ内の回路構成を示すブロック図。
【図６】同実施の形態に係るＢＳ放送のリモコンのチャンネル番号に割り当てられた３桁のチャンネル番号と中間周波（ＩＦ）信号の周波数、及びダウンコンバートする周波数の対応を例示する図。
【図７】同実施の形態に係るＣＳ放送のリモコンのチャンネル番号に割り当てられた３桁のチャンネル番号と中間周波（ＩＦ）信号の周波数、及びダウンコンバートする周波数の対応を例示する図。
【図８】同実施の形態に係るリモコンのチャンネル番号と出力されるリモコンコード信号との対応を例示する図。
【図９】同実施の形態に係る３桁のリモコンのチャンネル番号と出力されるリモコンコード信号との対応を例示する図。
【図１０】同実施の形態に係る既存の周波数配列とダウンコンバート後の周波数配列、及びアップコンバータによる選択的なアップコンバート後の周波数配列を例示する図。
【符号の説明】
【００７０】
１…衛星放送ダウンコンバータ、２…ＢＳ・ＣＳアンテナ、３…同軸ケーブル、４…分配器、５〜９…ダウンコンバータモジュール、５ａ〜９ａ…トランスポンダ番号設定部、５ｂ〜９ｂ…変換周波数設定部、１０…混合器、１１…同軸ケーブル、１２…ＵＨＦアンテナ、１３…ＶＨＦアンテナ、１４…混合器、１５…増幅器、１６…分岐／分配器、１７…同軸ケーブル、１８…直列ユニット、１９…受信機、２０…リモコン、２１…モニタテレビ、３０…入力端子、３１…アップコンバータ、３２…制御部、３３…受光部、３４…ＥＥＰＲＯＭ、３５…ＢＳ・ＣＳチューナ、３６…デマルチプレクサ／ＡＶデコーダ部、３７…映像出力処理部、３８…音声出力処理部、３９…映像出力端子、４０…音声出力端子、４１…ビデオケーブル、４２…オーディオケーブル、５０…入力端子、５１…接続端子、５２…ＬＰＦ、５３…ローカル発振回路、５４…ミキサー回路、５５…ＨＰＦ、５６…出力端子。
【図１】
2005142759.tif 000003
【図２】
2005142759.tif 000004
【図３】
2005142759.tif 000005
【図４】
2005142759.tif 000006
【図５】
2005142759.tif 000007
【図６】
2005142759.tif 000008
【図７】
2005142759.tif 000009
【図８】
2005142759.tif 000010
【図９】
2005142759.tif 000011
【図１０】
2005142759.tif 000012